(57)【要約】ＭＩＭＯシステム等の多重送信チャンネル無線通信システムは、１つの送信ステーションと、少なくとも１つの受信ステーションとを備え、前記ステーションのうちの少なくとも１つがアンテナシステムを有し、前記アンテナシステムが複数の互いに離間したアンテナ素子（１６Ａ，１Ｂ）を備え、各前記アンテナ素子は、所望の周波数の半波長未満だけ互いに離間された少なくとも２つのアンテナ（２０Ａ，２０Ｂ）から成るサブアレイを備えている。各アンテナ素子のアンテナは、指向性伝搬または受信を与えるように制御可能であっても良い。
2005532761.tif 000002
【特許請求の範囲】
【請求項１】
送信ステーションと、少なくとも１つの受信ステーションとを備え、前記ステーションのうちの少なくとも１つがアンテナシステムを有し、前記アンテナシステムが複数の互いに離間したアンテナ素子を備え、前記各アンテナ素子が、所望の周波数のλ／２未満だけ互いに離間された少なくとも２つのアンテナから成るサブアレイを備えたことを特徴とする多重送信チャンネル無線通信システム。
【請求項２】
前記サブアレイの前記アンテナは、前記アンテナによって受信される信号を処理するためにＲＦネットワークに結合されていることを特徴とする請求項１に記載のシステム。
【請求項３】
各前記サブアレイの前記アンテナは、λ／４未満だけ離間されていることを特徴とする請求項１または請求項２に記載のシステム。
【請求項４】
ハイブリッドカプラが各前記サブアレイの前記アンテナ同士を互いに結合することを特徴とする請求項１に記載のシステム。
【請求項５】
指向性の送信または指向性の受信を行なうために、前記サブアレイの前記アンテナが切換可能であることを特徴とする請求項１または請求項２に記載のシステム。
【請求項６】
前記アンテナシステムが複数の直交アンテナビームパターンを形成することを特徴とする請求項１に記載のシステム。
【請求項７】
前記サブアレイは、直交偏向を与えるように配置されたアンテナを備えていることを特徴とする請求項１または請求項２に記載のシステム。
【請求項８】
多重送信チャンネル無線通信システムで使用されるアンテナシステムであって、
複数の互いに離間したアンテナ素子を備え、各前記アンテナ素子は、所望の周波数のλ／２未満だけ互いに離間された少なくとも２つのアンテナから成るサブアレイを備えたことを特徴とするアンテナシステム。
【請求項９】
前記サブアレイの前記アンテナは、該アンテナによって受信される信号を処理するためにＲＦネットワークに結合されていることを特徴とする請求項８に記載のアンテナシステム。
【請求項１０】
各前記サブアレイの前記アンテナは、λ／４未満だけ離間されていることを特徴とする請求項８または請求項９に記載のアンテナシステム。
【請求項１１】
ハイブリッドカプラが各前記サブアレイの前記アンテナ同士を互いに結合することを特徴とする請求項８に記載のアンテナシステム。
【請求項１２】
指向性の送信または指向性の受信を行なうために、前記サブアレイの前記アンテナが切換可能であることを特徴とする請求項８または請求項９に記載のアンテナシステム。
【請求項１３】
当該アンテナシステムは、複数の直交アンテナビームパターンを形成していることを特徴とする請求項８または請求項９に記載のアンテナシステム。
【請求項１４】
前記サブアレイは、直交偏向を与えるように配置されたアンテナを備えていることを特徴とする請求項８または請求項９に記載のアンテナシステム。
【発明の詳細な説明】
【技術分野】
【０００１】
本発明は、例えば、ＭＩＭＯ（多重入力多重出力）や空間ダイバーシティ無線通信システム等の多重送信チャンネル無線通信システムにおける改良またはそれに関連する改良に関し、特に、これらに限定されないが、そのような通信システムで使用するためのアンテナシステムに関する。
【背景技術】
【０００２】
情報理論における最近の開発、例えば、（１）Forschini G. J, Gans M. J,「複数アンテナを使用した場合のフェーディング環境における無線通信の立ち入り自由区域（On limits of wireless communications in a fading environment when using multiple antennas）」、無線パーソナル通信(Wireless-personal-Communications)（オランダ）、第６巻、第３号、３１１〜３３５頁、１９９８年３月、および、（２）Telatar I E,「マルチアンテナガウスチャンネルの能力（Capacity of multi-antenna Gaussian Channels）」Tech. Rep. ＃BL0112170-950615-07TM AT&T Bell Laboratories、１９９５年，は、送信器および受信器の両方で複数のアンテナを使用することにより、無線通信システムにおいて前例のない能力を達成できることを示した。この能力の増大が生じると、信号エネルギが多くの様々な方向から送受信されるという事実を両端にある複数のアンテナが利点として有するので、アンテナの空間的な分離がこれらの経路を区別することが可能になる。したがって、複数の信号またはサブストリームを同時に送信してデコードすることができる。これを上手く利用するためのそのような手法の１つは、ＢＬＡＳＴ（Bell Labs Layered Space Time）として知られている。その詳細は、（３）Foschini G J，による「複数のアンテナを使用した場合のフェーディング環境における無線通信のための階層化時空アーキテクチャ（Layered space-time architecture for wireless communication in a fading environment when using multiple antennas）」，  Bell-Labs-Technical-Journal（ＵＳＡ），  第１巻、第２号、４１〜５９頁、１９９６年秋、および、（４）Wolniansky P W, Forschini G J, Golden G D, Valenzuela R A,「Ｖ−ＢＬＡＳＴ：高散乱無線チャンネルにわたる超高速データ転送速度を実現するためのアーキテクチャ（V-BLAST: an architecture for realizing very high data rates over the rich-scattering wireless channel）」１９９８年９月２９日〜１０月２日にイタリア、ピサで開催された、信号、システム、エレクトロニクスに関する１９９８  ＵＲＳＩ国際シンポジウムの会議議事録（1998 URSI international Symposium on Signal, Systems, and Electronics, Conference Proceedings）に開示されている。ＢＬＡＳＴでは、異なるサブストリームが、送信器の異なるアンテナに対して送信される。サブストリームは、サブストリームをゼロにするとともに、既に検出されたサブストリームの効果を差し引くという処理を可能にするＭＩＭＯチャンネルの測定により、受信器においてデコードされる。この方法は、受信器におけるチャンネルの情報を必要とする。
【０００３】
この方法に代わる方法が未公開のＰＣＴ出願ＩＢ０２／０００２９（出願人整理番号ＰＨＧＢ０１００１２）に開示されている。この出願において、サブストリームは、異なる方向に送信され、異なる方向から、特に、最も強いパワーが送信されてくる方向から受信される。最も強いパワーが送信されてくる方向は、送信器および受信器でのマルチパスの受信角度を測定することにより決定される。この方法は、送信器におけるチャンネルの情報（散乱体への送信角度）を必要とするが、受信器は、情報を有さない送信器、例えばＢＬＡＳＴ送信器とともに使用することができる。
【０００４】
これらの両方の方法は、複数のアンテナから成るアレイを必要とするとともに、アンテナ間隔に関する基本的な要件を有している。すなわち、隣り合うアンテナ間の間隔が波長の半分（λ／２）程度でなければならない。ＢＬＡＳＴの場合、これは、平均して均一な方位角をもって放射線が到達すると仮定すると、他のアンテナとの離間距離がλ／２よりも僅かに短く、或いは好ましくはそれ以上だからである。同様に、ビームパターンを明確に特定するためには、λ／２以下の間隔が必要とされる。しかしながら、所定の波長において所定の領域に収容できるアンテナの数には基本的な限界があるように思われる。そのため、ビームパターンを明確に特定することは難しい。また、各アンテナは、複数のアンテナによって同時に受信されたＲＦ信号からベースバンド信号を復号するための対応するプロセッサを必要とする。多くのＲＦ信号を個別に処理することは比較的困難であり、また、高価である。
【発明の開示】
【発明が解決しようとする課題】
【０００５】
本発明の目的は、システムの動作に悪影響を与えることなく、所定の領域内に収容できるアンテナの数を増させることである。
【課題を解決するための手段】
【０００６】
本発明の一態様においては、１つの送信ステーションと、少なくとも１つの受信ステーションとを備え、前記ステーションのうちの少なくとも１つがアンテナシステムを有し、前記アンテナシステムが複数の互いに離間したアンテナ素子を備え、前記各アンテナ素子が、所望の周波数のλ／２未満だけ互いに離間された少なくとも２つのアンテナから成るサブアレイを備えたことを特徴とする多重送信チャンネル無線通信システムが提供される。
【０００７】
本発明の第２の態様においては、多重送信チャンネル無線通信システムで使用されるアンテナシステムであって、複数の互いに離間したアンテナ素子を備え、各前記アンテナ素子が、所望の周波数のλ／２未満だけ互いに離間された少なくとも２つのアンテナから成るサブアレイを備えたことを特徴とするアンテナシステムが提供される。
【０００８】
本発明は、大きなアンテナアレイの各アンテナ素子を、空間的に近接した複数のアンテナから成るサブアレイに代えることができるとともに、ＲＦネットワークを使用して、サブアレイのアンテナによって受信されるＲＦ信号を前処理することにより、各アンテナ毎に１つのプロセッサを有する場合に比べて必要なベースバンドプロセッサの数が減少するという事実の認識に基づいている。例えばそれぞれがｎ個のアンテナを有するＮ個の素子から成るアレイを用いて構成されたＭＩＭＯシステム（または、空間ダイバーシティシステム）は、一般に、少なくともｎＮ個の指向性ビームを形成することができる。ＭＩＭＯシステムにおける１つの極端な例においては、Ｎ個の各素子のｎ個の全てのビームが使用される場合、通常はＮ×Ｎシステムによって占められる空間内に、ｎＮ×ｎＮ  ＭＩＭＯシステムが形成される。各ブランチは、空間ダイバーシティとパターン（振幅および位相）との組み合わせにより、関係付けられない。空間ダイバーシティは、素子の空間的な分離に依存しており、それにより、空間的に分離された２つの同じビームパターンは、ある程度まで相関されない。他の極端な例においては、Ｎ×Ｎシステムを与えるために、Ｎ個の各素子におけるｎ個のビームの中で最良のビームを選択することができる。
【０００９】
ＤＥＣＴ（デジタル高度コードレス遠距離通信）等の通信システムで２つのアンテナ素子を使用する空間ダイバーシティを使用することは公知である。各アンテナ素子は、無指向性となるように且つ他のアンテナ素子から独立するように設計される。長い距離にわたってアンテナ素子を離間させずに済むように、また、随意的に、使用されないアンテナ素子を同調させずに済むように、特許明細書国際公開第０１／７１８４３号（出願人整理番号ＰＨＧＢ００００３３）は、複数のアンテナビームを生成することができるように適切な振幅および位相を有する信号が複数のアンテナに供給され且つ任意のビーム対同士の間の相関係数がほぼゼロであるアンテナダイバーシティ構成を開示している。その結果として得られるアンテナダイバーシティ構成は、任意のアンテナビーム対同士の間の相関がゼロ付近の状態で互いに任意に近接したアンテナ対を備えることができ、それにより、コンパクトで有効な構成を提供することができる。ＢＬＡＳＴ等のＭＩＭＯシステムには、そのような構成の開示が無い。
【発明を実施するための最良の形態】
【００１０】
ここで、添付図面を参照しながら、一例として、本発明を説明する。図面において、同じ参照番号は同一のＳ構成を示すために用いられている。
【００１１】
図１を参照すると、ＭＩＭＯシステムは、１つの無線送信器（Ｔｘ）１０と、２つの無線受信器（Ｒｘ）１２Ａ，１２Ｂとを備えている。前述したように、複数の信号またはサブストリームに関する信号エネルギが多くの様々な方向から送受信されるため、Ｔｘ１０およびＲｘ１２Ａ，１２Ｂは、通常、複数のアンテナ素子を有している。随意的に、発信角度および受信角度に関する情報は、最も強いパワーを有する信号が送信されてくるビーム方向を選択するために使用される。図示を簡単にするため、Ｔｘ１０およびＲｘ１２Ａ，１２Ｂはそれぞれ、同様のアンテナシステム１４を有している。アンテナシステム１４は、所望の周波数または中心周波数のほぼ半波長（λ／２）だけ空間的に離間された少なくとも２つのアンテナ素子１６Ａ，１６Ｂを備えている。各アンテナ素子１６Ａ，１６ＢはＲＦネットワーク１８Ａ，１８Ｂを備えており、各ＲＦネットワーク１８Ａ，１８Ｂには２つのアンテナ２０Ａ，２０Ｂが接続されている。反対方向に向かうビームの場合、各アンテナ素子１６Ａ，１６Ｂのアンテナ２０Ａ，２０Ｂは、λ／２未満、代表的にはλ／４、あるいは、９０度だけ離間されている。電気的な間隔は、相互に関連がないビームに対して任意であり、例えば１２５度であっても良い。
【００１２】
Ｔｘ１０の場合には、データがエンコーダ２２によって符号化され、符号化された信号が変調器２４によって搬送波上で変調される。変調された信号は、ライン２１Ａ，２１Ｂによって各ＲＦネットワーク１８Ａ，１８Ｂにそれぞれ結合された出力部を有する電力増幅器２６に供給される。供給構成体１８Ａ，１８Ｂは、それに対応する一対のアンテナ２０Ａ，２０Ｂを制御することにより、所定の１または複数の方向に信号を伝搬させるようにしても良い。
【００１３】
各受信器Ｒｘ１２Ａ，１２Ｂにおいて、各ＲＦネットワーク１８Ａ，１８ＢはＲＦステージ２８に結合されており、ＲＦ２８の出力部は復調器３０に接続されている。復調器３０の出力部にはデコーダ３２が接続されている。ＲＦネットワーク１８Ａ，１８Ｂは、両方のアンテナ２０Ａ，２０ＢからのＲＦ信号を処理するのに役立ち、それにより、アンテナ毎に１つの受信器とベースバンドプロセッサとを有する場合に比べて、受信器およびベースバンドプロセッサの数が減る。また、これらのＥＦネットワークは、近くに接近したアンテナ間で生じてしまうＲＦ相互作用の問題を有利な方法で処理する。更なる改良例において、受信器のＲＦネットワーク１８Ａ，１８Ｂは、最も強いパワーが受信される方向から信号が検出されるように、それらの各アンテナを制御しても良い。
【００１４】
図２は、図１に示されるアンテナ素子１６Ａ，１６Ｂの変形例を示している。この変形例において、アンテナ素子１６Ａ（１６Ｂ）の各アンテナは、直交偏向（orthogonal polarization）をもたらす直交配置された一対のアンテナ２０Ａ，２０Ａ’および２０Ｂ，２０Ｂ’をそれぞれ備えている。
【００１５】
送信および／または受信方向を制御するためにＲＦネットワークがどのように使用されるのかを簡単に理解できるように、図３を参照する。図３は、図４に示される２素子アンテナアレイの方向的な送受信範囲（方向カバレージ）の一例を示している。ダイバーシティ構成を成す送信器３４は、無指向性ビーム３６と、破線で示される第１の指向性ビーム３８と、一点鎖線で示される第２の指向性ビーム４０とにより送受信することができる。
【００１６】
図４を参照して、アンテナ素子２０Ａ，２０Ｂが１つの軸上に位置されていると仮定する。第１の送信モードにおいて、アンテナ素子２０Ａは基準と考えると、アンテナ素子２０Ｂへの供給は、その振幅と、ステージ４２によって調整される位相とを有しており、それにより、指向性ビームが特定の方向に形成される。第２の送信モードにおいては、相対的な振幅および位相が逆転され、それにより、指向性ビームが反対方向になる。ステージ４２は、信号の位相を最大で±１８０度まで調整することができる。アンテナシステムの相反性（reciprocal nature）の観点から、受信アンテナに指向性を持たせるために、同じ説明が適用される。
【００１７】
図５は、互いに十分に近接して配置された複数のアンテナ素子のペアを示している。それらの相互の結合は、益々重要になり、隣り合うアンテナからの再放射を引き起こす効果がある。これにより、各アンテナにおける放射パターンは、他方の存在下で指向性を有するようになる。これに対し、互いに結合していない場合には、無指向性となる。指向性が高まるということは、一般に、異なるマルチパスまたは同じマルチパスを様々に重み付けした組み合わせを各アンテナがサンプリングするようになり、それにより、相関関係が減少することを意味している。
【００１８】
本発明において、アンテナ素子は、２つ以上の空間的に近接したアンテナによって形成されたアレイを備えており、複数のアレイ同士が組み合わされて、１つの大きなアンテナシステムが形成される。ＭＩＭＯシステム（または、空間ダイバーシティシステム）は、例えばＮ個のアンテナ素子から成るアレイで構成されており、各素子は、一般にｎ個の指向性ビームを形成することができるｎ個のアンテナを備えている。ＭＩＭＯシステムにおける１つの極端な例においては、Ｎ個の各アンテナシステムのｎ個の全てのビームが使用される場合、通常はＮ×Ｎシステムによって占められる空間内に、ｎＮ×ｎＮ  ＭＩＭＯシステムが形成される。各ブランチは、空間ダイバーシティとパターン（振幅および位相）との組み合わせにより、関係付けられていない。空間ダイバーシティは、各アンテナ素子を備えるアンテナの空間的な分離に依存しており、それにより、空間的に分離された２つの同じビームパターンは、ある程度（some degree）まで相関されない。他の極端な例においては、Ｎ×Ｎシステムを与えるために、Ｎ個の各アンテナ素子におけるｎ個のビームの中で最良のビームを選択することができる。
【００１９】
４×４ＭＩＭＯシステムにおける受信器（または、１×４ダイバーシティ受信器）となり得る図５に示されるタイプの高密度ＭＩＭＯシステムを有することの欠点と考えられることは、広がり角度が狭い受信の瞬時の角度に影響され易く、全く等しくない出力がそのビームにわたって受信されるという問題を生じる場合があり、結果的に、幾つかのビームがいずれのサブストリームからも出力を全く受信しない場合があるという点である。これは、ＭＩＭＯの観点から見ると、非常に深刻である。なぜなら、サブストリーム（アンテナまたは様々なビームパターン）の受信されたサンプルの数がサブストリームの数よりも少ない（すなわち、独立方程式の数が未知数の数よりも少ない）ため、サブストリームを確実にデコードすることができないからである。
【００２０】
図６の構成を用いると、このようなことが生じる可能性は少ない。図６において、各サブアレイは、多くの可能な方向のうちの１つを選択し、それにより、特定の大きさの出力を確実に受信可能なビーム方向を選択することができる。図６に示される実施例の場合、両方のビームは、最も大きいマルチパスが送信されてくる方向を向くように選択されている。この例において、それは同じ方向である。これらの空間的な分離は、２つのブランチを相関させないためのメカニズムであるが、同じ素子が離間する場合、非相関性の大きさは、無指向性アンテナを用いた空間ダイバーシティと同じ程度に良いか、あるいは、それほど良くはない。しかしながら、両方のブランチにおけるエンドファイヤ（end-fire）方向に約３ｄＢゲインが余計に存在するため、余分な相関性に起因する能力の低下を抑制できる。
【００２１】
図６に示される実施例は、反対方向からパワーが全く入来せず、したがって、両方のビームを同じ方向に向けることが良いと仮定しているため、極端な例である。この仮定がなければ、ブランチ間の相互関係が最も重要な要素となり得るため、最も強い方向を選択するスイッチングアルゴリズムよりも良いスイッチングアルゴリズムを選択する方が良い場合がある。そのため、反対方向からのパワーが少ない場合であっても、その方向を選択することにより、全体の相関性が少なくなる。これは、ブランチにわたるパワーの相違および全体のパワーが小さいという事実に対してトレードオフとなる必要がある。
【００２２】
図５および図６に示される構成を比較すると、全ての可能なモードを使用してＮ×Ｎシステムの空間内にｎＮ×ｎＮ  ＭＩＭＯシステムを与えるが信頼性に関する問題が存在し得る高密度方法（図５）と、Ｎ×Ｎシステムを与えるが信頼性および能力が高まる可能性を有する切換型構造（図６）との間に、トレードオフが存在する。
【００２３】
図７を参照すると、高密度ＭＩＭＯシステムは、ＲＦ位相シフタを使用しまたはデジタルドメインで位相シフトを使用して位相調整（phased）されるアンテナ２０Ａ，２０Ｂによってそれぞれ形成されるアンテナ素子から成るアレイ１６Ａ，１６Ｂを備えている。図７は、空間的に近接されたアンテナ２０Ａ，２０Ｂのペアを位相調整（phased）するためにハイブリッドカプラ４２Ａ，４２Ｂが使用される４×４ＭＩＭＯ送信器を示している。ハイブリッドカプラ４２Ａ，４２Ｂには、信号電圧のペアｓ１，ｓ２およびｓ３，ｓ４がそれぞれ供給される。信号電圧ｓ１，ｓ３が信号電圧ｓ２，ｓ４に対して高い場合、アンテナ素子は、方向ｄ１および方向ｄ３において指向性がある。逆の状態の場合、アンテナ素子１６Ａ，１６Ｂは、方向ｄ２および方向ｄ４において指向性がある。
【００２４】
受信器において、ハイブリッドカプラ４２Ａ，４２Ｂの４つのポートは、ＭＩＭＯ受信器の４つのブランチである。この原理は、ｎ＝２の場合、任意のＮに適用することができる。この構成に関して考えられる問題は、ソースと、ハイブリッドカプラと、アンテナとの間で適切なマッチングを見出すことに付随している。これは、カプラの異なるポート間でのインピーダンスが、様々な位相シフトに伴って変化するからである。位相シフトを適用する他の方法は、アレイのインピーダンス適合の問題が大きく打ち消されるデジタルビーム形成技術を使用することである。なお、これらのＭＩＭＯの場合、存在するサブストリームと同数のＲＦ送信器および受信器を有している必要がある。
【００２５】
図８は、２つのアンテナ素子のうちの一方１６Ａ（１６Ｂ）を備えた切換型ＭＩＭＯシステムの一部の実施形態を示している。この場合、各アンテナ素子は、アンテナ２０Ａ，２０Ｂを備えている。この実施形態においては、２つの可能なビームのうちの一方を選択するべく、各アンテナ素子１６Ａ（１６Ｂ）が制御され、それによってほんの２つのサブストリームが送信され或いはサブストリームの２つのサンプルが受信される。各アンテナ素子のアンテナ２０Ａ，２０Ｂを切換えるために、切換型寄生素子が使用される。図８においては、アンテナ２０Ａ，２０Ｂにそれぞれ供給される複素電圧Ｖ１，Ｖ２を使用して、図示のように、指向性ビームが形成される。その結果として得られるアンテナの複素インピーダンスはそれぞれＺ１，Ｚ２になる。また、電源Ｖ２を、アンテナ２０Ｂのインピーダンスの虚数部分である純リアクタンス−ｊＸ２と置き換えることによっても、同じビームパターンを形成することができる。このリアクタンス手段を使用すると、相互作用により、電源Ｖ２が純リアクタンス−ｊＸ２に代わり、ほぼ正確な供給電圧が生じる。この技術は、インピーダンスの抵抗部分が小さい場合に、最も効果を発揮する。これが図９に示されている。
【００２６】
反対方向のビームを形成するためには、電圧を代える必要がある。したがって、アンテナのインピーダンスも代わる。アンテナ２０Ａはインピーダンス−ｊＸ２で終端され、アンテナ２０Ｂに対して電圧Ｖ１が供給される。
【００２７】
図１０は、スイッチング構造を使用するこれらの可能性と、アンテナ２０Ａ，２０Ｂを備える１つのアンテナ素子１６Ａとの組み合わせを示している。２つのソースＳ１，Ｓ２と、同一の純インピーダンス−ｊＸ２として示された２つのインピーダンス４４，４６とが設けられ、第１の切換スイッチ４８は、ソースＳ１またはインピーダンス４４をアンテナ２０Ａに接続し、また、第２の切換スイッチ５０は、インピーダンス４６またはソースＳ２をアンテナ２０Ｂに接続する。スイッチ４８，５０が図示の位置にある場合には、指向性ローブが実線で示されているようになり、これらのスイッチが反対の位置にある場合には、指向性ローブが破線で示されるようになる。
【００２８】
このような改良されたアンテナシステムは、ＵＭＴＳ、ＨｉｐｅｒＬａｎ／２、ＩＥＥＥ  ８０２．１１Ａ＆Ｂ等の様々な規格にしたがって動作する送信器および受信器とともに使用されても良い。また、アンテナシステムは、データ転送速度が更に高く、消費電力が更に低く、あるいは、帯域幅が更に低い無線通信装置を提供することによってモバイルＬＡＮおよび無線ＬＡＮの能力を改善するために使用されても良い。
【００２９】
本明細書および請求の範囲において、要素に先行する用語「１つの（ａ，ａｎ）」は、そのような要素が複数あることを排除しない。また、用語「備える（含む）」は、そこに記載されたもの以外の部材やステップの存在を排除しない。
【００３０】
この開示内容を読めば、当業者にとって他の変更は自明である。そのような変更は、多重送信チャンネル無線通信システムおよびそのための構成要素の設計、製造および使用において既に公知であり、且つ、ここで既に説明した特徴の代わりに或いはその特徴に加えて使用しても良い他の特徴を含んでいても良い。請求項は、この出願においては、特徴の特定の組み合わせに構成されているが、本発明の開示範囲は、それが任意の請求項において現在請求されている発明と同じ発明に関連しているか否かにかかわらず、また、それが本発明における技術的問題と同じ問題の幾つか或いは全てを緩和するか否かにかかわらず、任意の新規な特徴、または、ここに明示的にあるいは暗示的に開示された任意の新規な特徴の組み合わせ、あるいは、その任意の総括も含んでいることは言うまでもない。これにより、出願人は、本出願または本出願から派生する任意の更なる出願の係属中において、新たな請求項を、そのような特徴および／またはそのような特徴の組み合わせに構成することができることをここに告示する。
【図面の簡単な説明】
【００３１】
【図１】ＭＩＭＯシステムの概略ブロック図である。
【図２】互いに垂直に配置されたアンテナから成る２つのペアを備えたアンテナ素子の略図である。
【図３】無指向性ビームと比較した２つの指向性ビームの送受信範囲（方向カバレージ）を示す図である。
【図４】アンテナダイバーシティ構成の概略ブロック図である。
【図５】指向性アンテナ素子を有する高密度ＭＩＭＯシステムの略図である。
【図６】素子を２つの方向間の１つに切換えることができる高密度ＭＩＭＯシステムの略図である。
【図７】指向性カプラを使用して２つのアンテナ素子から成るサブアレイが供給されるアンテナ構成の一実施形態である。
【図８】切換型ＭＩＭＯシステムにおけるアンテナ構成の略図である。
【図９】切換型ＭＩＭＯシステムにおけるアンテナ構成の略図である。
【図１０】切換型ＭＩＭＯシステムにおけるアンテナ構成の略図である。
【図１】
2005532761.tif 000003
【図２】
2005532761.tif 000004
【図３】
2005532761.tif 000005
【図４】
2005532761.tif 000006
【図５】
2005532761.tif 000007
【図６】
2005532761.tif 000008
【図７】
2005532761.tif 000009
【図８】
2005532761.tif 000010
【図９】
2005532761.tif 000011
【図１０】
2005532761.tif 000012
【国際調査報告】
2005532761.tif 000013
2005532761.tif 000014